(57)【要約】本開示の一態様は、皺の発生を抑制可能としたカバー部材を提供する。測定器１は、本体１０と、本体１０に取り付けられるカバー４０とを有している。本体１０は、先端にセンサの測定面を有するセンサ部１２と、センサ部１２が接続された把持部１１とを有する。カバー４０は、樹脂よりなりセンサの測定面を覆うカバー部材５０と、少なくともセンサ部１２に対して測定面とは反対側に配置され、カバー部材５０と接続され、カバー部材５０の厚さよりも厚い支持部材６０と、を有する。
2020162137.tif 000002
【特許請求の範囲】
【請求項１】
先端にセンサの測定面を有するセンサ部と、前記センサ部が接続された把持部とを有する測定器本体に用いられ、前記測定面を覆う袋状のカバーであって、
樹脂よりなり前記センサの測定面を覆うカバー部材と、
少なくとも前記センサ部に対して前記測定面とは反対側に配置され、前記カバー部材と接続され、前記カバー部材の厚さよりも厚い支持部材と、
を有する、カバー。
【請求項２】
前記支持部材は、前記カバー部材と同じ材料からなり、前記支持部材の厚さは、前記カバー部材の厚さの２倍以上２０倍以下である、請求項１に記載のカバー。
【請求項３】
前記支持部材は、前記カバー部材より曲げ弾性率が高い材料からなる、請求項１に記載のカバー。
【請求項４】
前記カバー部材は、第１シート材と、前記第１シート材の端部に接続された第２シート材とを有するマチ無し平袋であり、前記支持部材は、前記第２シート材に接続されている、請求項１〜請求項３の何れか一項に記載のカバー。
【請求項５】
前記支持部材は、前記カバー部材の先端から開口端まで延びている、
請求項１〜請求項４の何れか一項に記載のカバー。
【請求項６】
前記支持部材は、前記カバー部材の開口端から突出しており、その突出する部分に前記把持部の固定部と係合する係合部を有している、
請求項１〜請求項５の何れか一項に記載のカバー。
【請求項７】
前記支持部材は、前記カバー部材の先端の側の端部から前記カバー部材の開口端の側の端部に向かうにつれて幅が狭くなる、請求項１〜請求項６の何れか一項に記載のカバー。
【請求項８】
前記カバー部材は、先端から開口端に向かうにつれて幅が広くなる、請求項１〜請求項７の何れか一項に記載のカバー。
【請求項９】
前記支持部材と反対側に配置されるとともに前記カバー部材の先端に重ならないように、前記カバー部材に接続された保持部材を備えた、請求項１〜請求項８の何れか一項に記載のカバー。
【発明の詳細な説明】
【技術分野】
【０００１】
本開示は、口腔内水分測定器等の測定器に用いられるカバーに関するものである。
【背景技術】
【０００２】
従来、測定者が手で保持して対象物を測定する測定器として例えば口腔内水分測定器がある（例えば、特許文献１参照）。この口腔内水分測定器は、静電容量式のセンサを有し、そのセンサを測定部位に押し当て、対象物（口腔内）の水分量を測定する。このような口腔内水分測定器では、センサの測定面が対象物に直接ふれないよう、センサの測定面を覆うようにカバーが装着される。
【先行技術文献】
【特許文献】
【０００３】
【特許文献１】国際公開第２００４／０２８３５９号
【発明の概要】
【発明が解決しようとする課題】
【０００４】
ところで、上述のようにセンサの測定面を覆うカバーの厚さは、測定感度に影響するため、薄いカバーが用いられる。しかしながら、厚さの薄いカバーは、そのカバーの装着状態によっては、センサの測定面においてカバーに皺が発生する場合がある。このような皺の発生は、口腔内水分測定器の測定結果に影響する。【０００５】
本開示の目的は、皺の発生を抑制可能としたカバー部材を提供することにある。
【課題を解決するための手段】
【０００６】
本開示の一態様であるカバーは、先端にセンサの測定面を有するセンサ部と、前記センサ部が接続された把持部とを有する測定器本体に用いられ、前記測定面を覆う袋状のカバーであって、樹脂よりなり前記センサの測定面を覆うカバー部材と、少なくとも前記センサ部に対して前記測定面とは反対側に配置され、前記カバー部材と接続され、前記カバー部材の厚さよりも厚い支持部材と、を有する。【０００７】
この構成によれば、支持部材によってカバー部材が測定面とは反対側に引っ張られ、カバー部材が測定面に対して当接するため、その測定面においてカバー部材に皺の発生が抑制される。
【発明の効果】
【０００８】
本開示の一態様によれば、皺の発生を抑制可能としたカバー部材を提供できる。
【図面の簡単な説明】
【０００９】
【図１】口腔内水分測定器の斜視図。
【図２】センサ部及びカバーの一部拡大図。
【図３】カバーの概略平面図。
【図４】カバーの概略側面図。
【図５】変更例の口内水分測定器を示す斜視図。
【図６】（ａ），（ｂ）は、変更例の支持部材と固定部とを示す説明図。
【図７】変更例のカバーの概略平面図。
【図８】変更例のカバーの概略平面図。
【図９】変更例のカバーの概略側面図。
【発明を実施するための形態】
【００１０】
以下、一実施形態を説明する。
【００１１】
なお、添付図面は、理解を容易にするために構成要素を拡大して示している場合がある。構成要素の寸法比率は実際のものと、または別の図面中のものと異なる場合がある。
【００１２】
図１に示すように、測定器１は、測定対象として例えば口腔内の水分量を測定する口腔内水分測定器である。この測定器１は、本体１０と、本体１０に取り付けられるカバー４０とを有している。
【００１３】
本体１０は、本体１０の長手方向の一端部領域の把持部１１と、本体１０の長手方向の他端部領域のセンサ部１２とを有している。本実施形態において、センサ部１２は、把持部１１とは反対側に延びている。センサ部１２は、先端の測定部１３と、その測定部１３を把持部１１に接続する連結部１４とを備えている。把持部１１には、表示部１１ａと固定部１１ｂとが設けられている。
【００１４】
図２に示すように、測定部１３にはセンサ２０が設けられている。このセンサ２０は、平板状である。センサ２０は、平面状の測定面２０ａを有している。センサ２０は、例えば静電容量式のセンサである。センサ２０の測定面２０ａには、一対の電極２１ａ，２１ｂが設けられている。一対の電極２１ａ，２１ｂは、例えば櫛歯状に形成されている。
【００１５】
一対の電極２１ａ，２１ｂは、コンデンサの電極として機能する。つまり、測定面２０ａと対向する測定対象及びその表面の液体は、一対の電極２１ａ，２１ｂに対する誘電体として機能する。一対の電極２１ａ，２１ｂの容量値は、測定対象及びその表面の水分量に応じた値となる。
【００１６】
測定器１は、発振回路、制御回路、等の構成部材が搭載された図示しない回路基板を含む。発振回路は、センサの容量値に応じた周波数の信号を出力する。制御回路は、発振回路の出力信号のパルス数により、測定対象の水分量を検出する。そして、制御回路は、検出した水分量を表示部１１ａに表示する。
【００１７】
図１〜図４に示すように、カバー４０は、カバー部材５０と、支持部材６０と、接続部材７０とを備えている。本実施形態において、カバー部材５０は、長方形の袋状である。カバー部材５０は、透明もしくは半透明であることが好ましい。カバー４０は、カバー部材５０がセンサ部１２の先端の測定部１３を覆うように取着される。
【００１８】
本実施形態のカバー部材５０は、第１シート材５１と、第１シート材５１の端部に接続された第２シート材５２とを有して袋状に形成された、マチ無し平袋である。第１シート材５１と第２シート材５２は、例えば溶着により互いに接続されている。図３において、溶着部分５０ａを破線にて示す。カバー部材５０において、第１シート材５１と第２シート材５２とが接続されていない端部を開口端５０ｂとし、開口端５０ｂの反対側の端部を先端５０ｃとする。なお、カバー部材５０は、例えば１枚のシート材を２つ折りにして袋状に接続して形成されてもよい。また、カバー部材５０は、接着や両面テープによる接着等により形成されてもよい。
【００１９】
カバー部材５０の材料としては、例えば疎水性を有する樹脂を用いることができる。樹脂としては、例えば熱可塑性樹脂を用いることができる。このような樹脂材料としては、例えば、ポリエチレン（ＰＥ）、ポリプロピレン（ＰＰ）、ポリエチレンテレフタレート（ＰＥＴ）、ナイロン、ポリ塩化ビニル、ポリイミド、等を用いることができる。
【００２０】
カバー部材５０の厚さは、センサ２０による測定対象（例えば口腔内の水分量）を測定可能とし、その測定を妨げないよう設定される。カバー部材５０の厚さは、例えば５μｍ以上３０μｍ以下とすることができ、５μｍ以上１５μｍ以下であることが好ましい。なお、カバー部材５０の厚さは、カバー部材５０の材料に応じて適宜変更が可能である。カバー部材５０の厚さが３０μｍより大きい場合、センサ２０の感度低下が顕著となる。厚さは、マイクロメータ等の接触式の厚さ測定器、光学式の厚さ測定器、等で測定できる。
【００２１】
図４に示すように、支持部材６０は、接続部材７０によりカバー部材５０に接続されている。接続部材７０としては、例えば、アクリル系やシリコン系の粘着剤や接着剤、両面テープ、等を用いることができる。接続部材７０は、透明もしくは半透明であることが好ましい。
【００２２】
本実施形態の支持部材６０は、長方形の板状である。図２に示すように、支持部材６０の幅Ｗ２は、測定部１３の幅Ｗ１よりも大きい。図３及び図４に示すように、支持部材６０は、カバー部材５０の先端５０ｃから開口端５０ｂまで延びている。更に、支持部材６０は、カバー部材５０よりも長く、カバー部材５０の開口端５０ｂよりも突出している。支持部材６０は、カバー部材５０より突出した部分に、支持部材６０を厚さ方向に貫通する貫通孔６０ａが形成されている。この貫通孔６０ａは、カバー部材５０を本体１０に固定するために用いられ、係合部として機能する。つまり、貫通孔６０ａは、カバー４０を把持部１１に固定するために利用される。支持部材６０は、透明もしくは半透明であることが好ましい。
【００２３】
支持部材６０は、高剛性部材である。この支持部材６０としては、曲げ弾性率、曲げ強度がカバー部材５０よりも高い材料を用いることができる。この支持部材６０の材料としては、例えば、ＰＥＴ、ＡＢＳ、ポリカーボネート、アクリル、ＰＰ、等の樹脂を用いることができる。
【００２４】
支持部材６０の厚さは、例えば、５０μｍ以上３００μｍ以下とすることができる。なお、支持部材６０は、その材料に応じて厚さを設定することもできる。例えば、支持部材６０の材料がカバー部材５０の材料と同じである場合、カバー部材５０の厚さの２倍以上２０倍以下であることが好ましく、５倍以上であることがより好ましい。なお、カバー部材５０の厚さとしては、カバー部材５０の最も厚い部分の厚さを用いること、カバー部材５０の最も薄い部分の厚さを用いることができる。また、カバー部材５０の厚さとして、カバー部材５０の最も厚い部分の厚さとカバー部材５０の最も薄い部分の厚さとの平均値を用いることもできる。
【００２５】
カバー４０は、把持部１１の固定部１１ｂを支持部材６０の貫通孔６０ａを挿通することにより、把持部１１に装着される。そして、支持部材６０を把持部１１の固定部１１ｂから外すことにより、カバー４０が本体１０から取り外される。つまり、把持部１１の固定部１１ｂと、支持部材６０の貫通孔６０ａとにより、カバー４０が把持部１１に対して着脱可能となる。
【００２６】
（作用）
本実施形態において、カバー４０は、本体１０の把持部１１に対して着脱可能、つまり取り付け、取り外しが可能である。
【００２７】
カバー部材５０によりセンサ２０の測定面２０ａを覆うようにカバー４０を本体１０に取り付けた場合、支持部材６０は、測定部１３において、センサ２０の測定面２０ａとは反対側の非測定面１３ａ側に配置される。支持部材６０は、カバー部材５０より曲げ弾性率が高いである。このため、支持部材６０は、カバー部材５０を測定部１３の非測定面１３ａの側に引っ張る。この支持部材６０の引張力は、四角形状の測定部１３を覆うカバー部材５０に対して、測定部１３の４つの辺を覆う部分に略均等に働き、カバー部材５０をセンサ２０の測定面２０ａに密着させる。このとき、図２に示すように、カバー部材５０には、四角形状の測定部１３の各角部より外側の部分に皺５０ｚが発生する。このように、カバー部材５０をセンサ２０の測定面２０ａに密着させることにより、センサ２０の測定面２０ａに対して、カバー部材５０における皺の発生が抑制される。
【００２８】
本実施形態のカバー部材５０では、袋形状としては、マチ無し平袋である。マチ無し平袋は、支持部材６０による張力を与えやすい。また、マチ無し平袋は、樹脂シートを接合するのみで形成できるため、容易に製造することができる。なお、マチのある袋形状としてもよい。
【００２９】
測定によってカバー部材５０には唾液が付着し、薄いカバー部材５０のみでは測定部１３から外し難い、本実施形態では、支持部材６０は、カバー部材５０の先端５０ｃから開口端５０ｂまで延びている。従って、測定後において、支持部材６０によってカバー部材５０が測定部１３から離れやすく、カバー部材５０を容易に外すことができる。
【００３０】
支持部材６０には、貫通孔６０ａが形成され、その貫通孔６０ａを把持部１１の固定部１１ｂと係合させることにより、カバー４０を本体１０に対して容易に取着できる。また、支持部材６０の貫通孔６０ａを把持部１１の固定部１１ｂから外すことで、カバー４０を本体１０から容易に取り外すことができる。
【００３１】
また、高剛性の支持部材６０に固定のための貫通孔６０ａを形成することにより、カバー４０を取着するときに支持部材６０が延びないので、カバー部材５０を引っ張って測定部１３に取着することができる。
【００３２】
以上記述したように、本実施の形態によれば、以下の効果を奏する。
【００３３】
（１）測定器１は、本体１０と、本体１０に取り付けられるカバー４０とを有している。本体１０は、先端にセンサ２０の測定面２０ａを有するセンサ部１２と、センサ部１２が接続された把持部１１とを有する。カバー４０は、樹脂よりなりセンサ２０の測定面を覆うカバー部材５０と、少なくともセンサ部１２に対して測定面２０ａとは反対側に配置され、カバー部材５０と接続された支持部材６０と、を有し、支持部材６０は、カバー部材５０の厚さよりも厚い。
【００３４】
カバー４０において、支持部材６０によって、カバー部材５０が測定面２０ａとは反対側に引っ張られ、カバー部材５０が測定面２０ａに対して当接するため、その測定面２０ａにおいてカバー部材５０に皺の発生を抑制できる。
【００３５】
（２）支持部材６０は、カバー部材５０の先端５０ｃから開口端５０ｂまで延びている。従って、測定後において唾液が付着するカバー部材５０が、支持部材６０によって測定部１３から離れやすく、カバー部材５０を容易に外すことができる。
【００３６】
（３）高剛性の支持部材６０に固定のための貫通孔６０ａを形成することにより、カバー４０を取着するときに支持部材６０が延びないので、カバー部材５０を引っ張って測定部１３に取着することができる。
【００３７】
＜変更例＞
尚、上記実施形態は、以下の態様で実施してもよい。
【００３８】
・上記実施形態に対して、各部材の形状を適宜変更してもよい。
【００３９】
図５に示す測定器１ａにおいて、センサ部１２は、測定部１３が長い長方形状である。このような測定部１３の測定器１は、先端のセンサ２０を口腔内に挿入し易い。このセンサ部１２についても、上記実施形態と同様のカバー４０を用いることで、測定部１３の測定面２０ａに対してカバー部材５０における皺の発生を抑制できる。
【００４０】
・上記実施形態では、カバー４０の支持部材６０に貫通孔６０ａを形成し、その貫通孔６０ａに把持部１１の固定部１１ｂを挿入し、支持部材６０と固定部１１ｂとの係合によりカバー４０を把持部１１に固定した。これに対し、支持部材６０と固定部１１ｂとの係合構造を適宜変更してもよい。
【００４１】
図６（ａ）に示すように、支持部材１００に、係合部として機能するスリット１０１ａ，１０１ｂを形成し、そのスリット１０１ａ，１０１ｂに対して、把持部１１に設けられた固定部１１ｃ，１１ｄを係合させる。この固定部１１ｃ，１１ｄは、把持部１１からセンサ部１２の先端に向かう方向に対して直交する方向にそれぞれ延びている。図６（ａ）及び図６（ｂ）に示すように、固定部１１ｃ，１１ｄの上端には、センサ部１２の先端と反対方向に突出する係止部１１ｅ，１１ｆが形成されている。この係止部１１ｅ，１１ｆにより支持部材６０が固定部１１ｂから抜けるのを防止する。なお、このような形状の係止部１１ｅ，１１ｆを、上記実施形態の固定部１１ｂに設けても良い。
【００４２】
・上記実施形態に対し、カバー部材５０の平面形状を適宜変更してもよい。
【００４３】
図７に示すように、先端５０ｃから開口端５０ｂに向かうにつれて幅が広くなる形状、例えばカバー部材５０を台形状としてもよい。先端５０ｃがセンサ部１２の測定部１３より大きくなると、支持部材６０による引っ張りよってもカバー部材５０がセンサ２０の測定面２０ａに対して密着し難く、皺がより易い。従って、この変更例では、先端５０ｃがセンサ部１２の測定部１３より大きくなりすぎないので、皺の発生を抑制できる。また、先端５０ｃがセンサ部１２の測定部１３より大きくなりすぎないので、口腔内に挿入し易くなる。また、先端５０ｃよりも開口端５０ｂを幅広とすることで、カバー部材５０の中にセンサ部１２が挿入し易くなる。
【００４４】
・上記実施形態に対し、支持部材６０の概略形状を適宜変更してもよい。
【００４５】
図８及び図９に示すように、支持部材６０は、カバー部材５０の先端５０ｃの側の端部６０ｃから、カバー部材５０の開口端５０ｂの側の端部６０ｂに向かうにつれて幅が狭くなる形状である。支持部材６０をカバー部材５０の開口端５０ｂの側で狭くすることで、カバー部材５０の開口形状の自由度が増すため、カバー部材５０の中にセンサ部１２が挿入し易くなる。なお、カバー部材５０の開口端５０ｂにおいて支持部材６０の幅が狭くなればよいため、カバー部材５０の開口端５０ｂより突出する部分における幅は適宜変更できる。
【００４６】
また、図８及び図９に示すように、第１シート材５１に保持部材６１を接続してもよい。保持部材６１は、カバー部材５０に対して支持部材６０と反対側に配置され、カバー部材５０と接続される。保持部材６１は、例えば支持部材６０と同様に、接続部材７０により第１シート材５１に接続される。保持部材６１は、カバー部材５０の先端において第１シート材５１と重ならない、つまりカバー部材５０の先端において第１シート材５１が露出するように、第１シート材５１に接続される。これにより、第１シート材５１を介してセンサ２０の測定面２０ａを測定対象に押し当てることができる。そして、保持部材６１と支持部材６０とを持つことにより、薄い第１シート材５１及び第２シート材５２を容易に開口させることができる。
【００４７】
・上記実施形態に対し、図４に示す支持部材６０と第１シート材５１とを接続して袋形状としたカバーとしてもよい。また、支持部材６０と第２シート材５２とを接続して袋形状としたカバーとしてもよい。
【００４８】
・上記実施形態に対し、図４に示す支持部材６０を複数の樹脂シートを積層して形成してもよい。また、第１シート材５１と第２シート材５２の少なくとも一方を、複数の樹脂シートを積層して形成してもよい。
【００４９】
・上記実施形態及び上記変更例は、適宜その一部を公知の構成で置き換えても良い。また、上記実施形態及び上記変更例は、適宜その一部又は全部を組み合わせてもよい。
【符号の説明】
【００５０】
１…測定器、１０…本体、１１…把持部、１１ｂ…固定部、１２…センサ部、１３…測定部、１４…連結部、２０…センサ、２０ａ…測定面、４０…カバー、５０…カバー部材、５０ｂ…開口端、５０ｃ…先端、５１…第１シート材、５２…第２シート材、６０…支持部材、６０ａ…貫通孔、６１…保持部材。
【図１】
2020162137.tif 000003
【図２】
2020162137.tif 000004
【図３】
2020162137.tif 000005
【図４】
2020162137.tif 000006
【図５】
2020162137.tif 000007
【図６】
2020162137.tif 000008
【図７】
2020162137.tif 000009
【図８】
2020162137.tif 000010
【図９】
2020162137.tif 000011
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
先端にセンサの測定面を有するセンサ部と、前記センサ部が接続された把持部とを有する測定器本体に用いられ、前記測定面を覆う袋状のカバーであって、
前記センサの測定面を覆うカバー部材と、
少なくとも前記センサ部に対して前記測定面とは反対側に配置され、前記カバー部材と接続される支持部材と、
を有する、カバー。
【請求項２】
前記支持部材は、前記カバー部材の厚さよりも厚い、請求項１に記載のカバー。
【請求項３】
前記支持部材は、前記カバー部材と同じ材料からなり、前記支持部材の厚さは、前記カバー部材の厚さの２倍以上２０倍以下である、請求項１または請求項２に記載のカバー。
【請求項４】
前記支持部材は、前記カバー部材より曲げ弾性率が高い材料からなる、請求項１または請求項２に記載のカバー。
【請求項５】
前記カバー部材は、第１シート材と、前記第１シート材の端部に接続された第２シート材とを有するマチ無し平袋であり、前記支持部材は、前記第２シート材に接続されている、請求項１〜請求項４の何れか一項に記載のカバー。
【請求項６】
前記支持部材は、前記カバー部材の先端から開口端まで延びている、
請求項１〜請求項５の何れか一項に記載のカバー。
【請求項７】
前記支持部材は、前記カバー部材の開口端から突出しており、その突出する部分に前記把持部の固定部と係合する係合部を有している、請求項１〜請求項６の何れか一項に記載のカバー。
【請求項８】
前記支持部材は、前記カバー部材の先端の側の端部から前記カバー部材の開口端の側の端部に向かうにつれて幅が狭くなる、請求項１〜請求項７の何れか一項に記載のカバー。
【請求項９】
前記カバー部材は、先端から開口端に向かうにつれて幅が広くなる、請求項１〜請求項８の何れか一項に記載のカバー。
【請求項１０】
前記支持部材と反対側に配置されるとともに前記カバー部材の先端に重ならないように、前記カバー部材に接続された保持部材を備えた、請求項１〜請求項９の何れか一項に記載のカバー。
【手続補正２】
【補正対象書類名】明細書
【補正対象項目名】００３９
【補正方法】変更
【補正の内容】
【００３９】
図５に示す測定器１ａにおいて、センサ部１２は、測定部１３が長い長方形状である。このような測定部１３の測定器１ａは、先端のセンサ２０を口腔内に挿入し易い。このセンサ部１２についても、上記実施形態と同様のカバー４０を用いることで、測定部１３の測定面２０ａに対してカバー部材５０における皺の発生を抑制できる。
【手続補正３】
【補正対象書類名】図面
【補正対象項目名】図６
【補正方法】変更
【補正の内容】
【図６】
2020162137.tif 000012
【国際調査報告】
2020162137.tif 000013
2020162137.tif 000014
2020162137.tif 000015
2020162137.tif 000016